(57)【要約】【課題】低反発ウレタンフォームを芯枕としても、低反発素材による芯枕の心地のよい弾力性を保て、優しい肌触りで吸水性にも優れてムレの発生を解消でき、既に市販されている低反発素材の枕を芯枕として使用可能な形態の枕用具を提供する。【解決手段】羽毛，その他の近似物を詰め物１ｅとして相対する外皮１ａ，１ｂ、内皮１ｃ，１ｄで内包させて柔軟な弾力性，嵩高性を持たせた通気層１０，１１を外側に設け、低反発素材の芯枕２を出し入れ可能な収容室１２を相対する内皮１ｃ，１ｄから通気層１０，１１の内側に設けた巻き枕１を主体に備えてなる。【選択図】図１
0003134980.tif 000002
【実用新案登録請求の範囲】
【請求項１】
羽毛，その他の近似物を詰め物として相対する外皮，内皮で内包させて柔軟な弾力性，嵩高性を持たせた通気層を外側に設け、低反発素材の芯枕を出し入れ可能な収容室を相対する内皮から通気層の内側に設けた巻き枕を主体に備えてなることを特徴とする枕用具。
【請求項２】
羽毛，その他の近似物を詰め物として相対する外皮，内皮で内包させて柔軟な弾力性，嵩高性を持たせた通気層を外側に設け、低反発素材の芯枕を出し入れ可能な収容室を相対する内皮から通気層の内側に設けた巻き枕を主体に、低反発素材の芯枕を組に備えてなることを特徴とする請求項１に記載の枕用具。
【考案の詳細な説明】
【技術分野】
【０００１】
本考案は、就寝用として好適な枕用具に関するものである。
【背景技術】
【０００２】
一般に、就寝用の枕としては低反発ウレタンフォームが多用されている。この枕は、心地のよい弾力性と共に、造形上使用者の首，頭を確りとサポート可能な曲線形状を持たせられるところから好ましい。但し、唯一の難点としてムレを生じ易いことが挙げられる。
【０００３】
従来、低反発ウレタンフォームのムレを解消する観点から、低反発ウレタンフォームを芯枕とし、プラスチック製の糸をハニカム構造状に多数編み込んだ立体格子シートを芯枕の外側に介在させて空気層を設けることが提案されている（特許文献１）。
【０００４】
その立体格子シートを介在させるものでは、プラスチック製糸のハニカム構造が使用者の首から頭に伝わることから、低反発ウレタンフォームの心地のよい弾力性が損なわれてしまうばかりでなく、違和感さえ使用者に与えることになり兼ねない。
【特許文献１】特開２００５−１５２４８０
【考案の開示】
【考案が解決しようとする課題】
【０００５】
本考案の解決しようとする課題は、低反発ウレタンフォームを芯枕としても、低反発素材による芯枕の心地のよい弾力性を保て、優しい肌触りで吸水性にも優れてムレの発生を解消可能な枕用具を提供するところにある。
【０００６】
それと共に、市販されている低反発素材の枕を芯枕として使用可能な形態の枕用具を提供することを課題とする。
【課題を解決するための手段】
【０００７】
本願の請求項１は、羽毛，その他の近似物を詰め物として相対する外皮，内皮で内包させて柔軟な弾力性，嵩高性を持たせた通気層を外側に設け、低反発素材の芯枕を出し入れ可能な収容室を相対する内皮から通気層の内側に設けた巻き枕を主体に備えてなることを特徴とする。
【０００８】
本願の請求項２は、羽毛，その他の近似物を詰め物として相対する外皮，内皮で内包させて柔軟な弾力性，嵩高性を持たせた通気層を外側に設け、低反発素材の芯枕を出し入れ可能な収容室を相対する内皮から通気層の内側に設けた巻き枕を主体に、低反発素材の芯枕を組に備えてなることを特徴とする。
【考案の効果】
【０００９】
本考案に係る枕用具によると、羽毛，その他の近似物を詰め物する柔軟な弾力性，嵩高性を持たせた通気層を外側に設けた巻き枕により、低反発ウレタンフォームを芯枕としても、低反発素材の芯枕による心地のよい弾力性を保て、優しい肌触りで吸水性にも優れてムレの発生を解消することができる。
【００１０】
それと共に、低反発素材の芯枕を出し入れ可能な収容室を相対する内皮から通気層の内側に設けた巻き枕により、市販されている低反発素材の枕を芯枕として使用可能な形態のものに形成することができる。
【考案を実施するための最良の形態】
【００１１】
図示実施の形態は、図１で示すように巻き枕１と低反発素材の芯枕２とを組に枕用具として備えるに適用されている。但し、この巻き枕１は既に市販されている低反発素材の枕を芯枕として使用可能な単品扱いの枕用具を構成するようにもできる。
【００１２】
巻き枕１は、各々二枚の外皮１ａ，１ｂと内皮１ｃ，１ｄとにより、皮本体が縫製されている。この巻き枕１には、羽毛，その他の近似物を詰め物１ｅとして夫々相対する外皮と内皮１ａ，１ｃ、１ｂ，１ｄとで内包することから、柔軟な弾力性，嵩高性を持たせた通気層１０，１１が外側に設けられている。また、低反発素材の芯枕２を出し入れ可能な収容室１２が相対する内皮１ｃ，１ｄから通気層１０，１１の内側に設けられている。
【００１３】
皮本体は、通気性の良好な綿１００％の綿生地で形成するとよい。この皮本体は、図２で示すように市販のピロケースに対応可能な縦４３ｃｍ程度，横６３ｃｍ程度の長方形に縫製されている。
【００１４】
収容室１２は、図３で示すようにスライドファスナ１３または貼合せファスナを皮本体の１側縁で内皮１ｃ，１ｄの間に縫い付けることから開閉可能に縫製されている。また、市販の縦３０ｃｍ程度，横５０ｃｍ程度の低反発素材の枕を装填可能な内部空間を持って縫製されている。
【００１５】
詰め物１ｅの羽毛としては、ボール状の羽枝が空気をたっぷり含んで保温性，嵩高性を生み出すホワイトダウン５０％，通気性の良好な６．５ｍｍ未満のスモールフェザー５０％を混合したものを用いるとよい。羽毛の近似物としては、極細の化繊綿，マイクロ綿等の羽毛タッチを呈する素材の詰め物１ｅを挙げるようにできる。
【００１６】
低反発素材の芯枕２としては、図４で示すような低反発ウレタンフォーム２ａを備えるようにできる。このウレタンフォーム２ａは、表面側が使用者の首部に合った隆起部２０，後頭部に合った陥没部２１，頭上部に合った隆起部２２から起伏を呈するよう形成されている。ウレタンフォーム２ａは、皮本体との擦れを防いで通気性を保つべく、ポリエステル１００％のネットカバー２ｂで被覆するとよい。
【００１７】
このように構成する枕用具は、羽毛，その他の近似物を詰め物１ｅとする柔軟な弾力性，嵩高性を持たせた通気層１０，１１を外側に設けた巻き枕１として縫製されていることから、低反発ウレタンフォーム２ａの芯枕２を羽毛等による通気層１０，１１で包み込んだ新感触の枕を構成することができる。また、寒冷時にも硬くなり難い低反発素材による芯枕２の心地のよい弾力性を保て、優しい肌触りで吸水性にも優れてムレの発生を解消することができる。
【００１８】
その巻き枕１は、低反発素材の芯枕２を出し入れ可能な収容室１２を通気層１０，１１の内側に設けたことにより、既に市販されている低反発素材の枕を芯枕として使用可能な単品扱いに構成するようにできる。
【図面の簡単な説明】
【００１９】
【図１】本考案に係る枕用具を示す側断面図である。
【図２】図１の枕用具を示す俯角斜視図である。
【図３】図１の枕用具を示す側面図である。
【図４】図１の枕用具に備えられる芯枕を示す俯角斜視図である。
【符号の説明】
【００２０】
１            巻き枕
１ａ，１ｂ    巻き枕の外皮
１ｃ，１ｄ    巻き枕の内皮
１ｅ          羽毛等の詰め物
１０，１１    通気層
１２          芯枕の収容室
２            芯枕
【図１】
0003134980.tif 000003
【図２】
0003134980.tif 000004
【図３】
0003134980.tif 000005
【図４】
0003134980.tif 000006